(57)【要約】【課題】十分な防犯機能を果たすことができる防犯照明システムを提供する。【解決手段】複数個の照明器具のうちの一の照明器具は、光源と、検知部と、信号を送信可能な送信部と、一の照明器具を制御する主制御部と、を有しており、この一の照明器具の検知部が人を検知すると、その照明器具においては、主制御部が自身の点滅動作を指令して、人を検知したことを知らせる。同時に、送信部が全ての他の照明器具に人検知信号を発信するので、全ての他の照明器具は、その受信部が人検知信号を受信し、副制御部が自身の点滅動作を指令する。このため、所望の位置に配置された一の照明器具が人を検知すると、全ての他の照明器具で人を検知した状態となり、例えば、各照明器具を点滅させて、不審者を威嚇するとともに、住人に人が検知されたことを知らせるので、防犯効果が一層増す。また、検知部を有する高価な一の照明器具を１台だけ設け、他は安価な照明器具を用いることができるので、防犯照明システムのコストダウンを図ることができる。【選択図】図１
2010033812.tif 000002
【特許請求の範囲】
【請求項１】
複数個の照明器具を有する防犯照明システムであって、
前記複数個の照明器具のうちの一の照明器具は、光源と、人を検知する検知部と、信号を送信可能な送信部と、当該一の照明器具を制御する主制御部と、を有し、
前記複数個の照明器具のうちの他の照明器具は、光源と、前記一の照明器具からの信号を受ける受信部と、当該他の照明器具を制御する副制御部と、を有し、
前記一の照明器具の検知部が人を検知すると、前記主制御部が光源に自身の点滅動作を指令するとともに、前記送信部を介してすべての前記他の照明器具に人検知信号を発信し、
前記他の照明器具においては、前記受信部が前記人検知信号を受信して前記副制御部が光源に点滅動作を指令することを特徴とする防犯照明システム。
【請求項２】
前記複数個の照明器具は、規則的に点滅動作を開始するものであることを特徴とする請求項１記載の防犯照明システム。
【請求項３】
前記複数個の照明器具は、不規則的に点滅動作を開始するものであることを特徴とする請求項１記載の防犯照明システム。
【請求項４】
前記各照明器具における前記点滅動作が、点滅間隔を規則的に変化させるものであることを特徴とする請求項１〜請求項３のいずれかに記載の防犯照明システム。
【請求項５】
前記各照明器具における前記点滅動作が、点滅間隔を不規則的に変化させるものであることを特徴とする請求項１〜請求項３のいずれかに記載の防犯照明システム。
【請求項６】
前記点滅動作が、人検知後所定時間経過後に停止することを特徴とする請求項１〜請求項５のいずれかに記載の防犯照明システム。
【請求項７】
前記検知部が人を検知したときに音を発する音出力部を有することを特徴とする請求項１〜請求項６のいずれかに記載の防犯照明システム。
【発明の詳細な説明】
【技術分野】
【０００１】
本発明は、防犯照明システムに関するものである。
【背景技術】
【０００２】
従来より、複数の照明器具を有する照明システムが知られている（例えば特許文献１参照）。
図９に示すように、特許文献１に記載の照明システム１００は、複数の照明負荷部１０１、１０２と、この照明負荷部１０１、１０２の複数の動作モードを制御する点灯制御部１０３と、人を検知して前記点灯制御部１０３に信号を送るセンサ部１０４を備えている。また、リモコン送信機１０５からの信号を受けるリモコン受信部１０６、商用電源１０７から電力を供給される制御電源部１０８等を有している。なお、照明負荷部１０１は、負荷点滅部１０９を介して点灯制御部１０３に接続されている。また、点灯制御部１０３には、タイマ１１１、１１２が接続されている。
【０００３】
従って、リモコン送信機１０５からのモード設定信号をリモコン受信部１０６が受けると、モード設定信号は点灯制御部１０３に送られ、点灯制御部１０３が各照明負荷部１０１、１０２を制御して、各モードで点灯および点滅を行う。例えば、動作モードを切替えた際に、ある一定時間、一方の照明負荷部１０１は消灯させ、その間に他方の照明負荷部１０２を点滅させるように制御する。これにより、ユーザが、照明負荷部１０２の点滅を認識し易くすることができる。
【特許文献１】特開２００４−３５５８３４号公報（第１図）
【発明の開示】
【発明が解決しようとする課題】
【０００４】
ところで、最近は、不審者の奇行や犯罪が後を絶たず、防犯に対する意識も高まり、個人でも防犯システムを導入する人が増えてきた。例えば、人感センサが内蔵された照明器具を玄関等に設置して、不審者が接近すると、人感センサが人を検知して、照明器具を点灯等させることが行われている。
しかしながら、前述したような人感センサ付の照明器具のみでは、不審者を十分に威嚇することが期待できない。また、屋外に設けられている人感センサ付の照明器具では、奥内にいる住人は、不審者が検知されても気づかず、十分な防犯機能を期待することができない。
【０００５】
本発明は、従来の問題を解決するためになされたもので、十分な防犯機能を果たすことができる防犯照明システムを提供することを目的とする。
【課題を解決するための手段】
【０００６】
本発明の防犯照明システムは、複数個の照明器具を有する防犯照明システムであって、  前記複数個の照明器具のうちの一の照明器具は、光源と、人を検知する検知部と、信号を送信可能な送信部と、当該一の照明器具を制御する主制御部と、を有し、前記複数個の照明器具のうちの他の照明器具は、光源と、前記一の照明器具からの信号を受ける受信部と、当該他の照明器具を制御する副制御部と、を有し、前記一の照明器具の検知部が人を検知すると、前記主制御部が光源に自身の点滅動作を指令するとともに、前記送信部を介してすべての前記他の照明器具に人検知信号を発信し、前記他の照明器具においては、前記受信部が前記人検知信号を受信して前記副制御部が光源に点滅動作を指令する構成を有している。
【０００７】
この構成により、複数個の照明器具のうちの一の照明器具は、光源と、検知部と、信号を送信可能な送信部と、一の照明器具を制御する主制御部と、を有しており、この一の照明器具の検知部が人を検知すると、その照明器具においては、主制御部が自身の点滅動作を指令して、人を検知したことを知らせる。同時に、送信部が全ての他の照明器具に人検知信号を発信するので、全ての他の照明器具は、その受信部が人検知信号を受信し、副制御部が自身の点滅動作を指令する。このため、所望の位置に配置された一の照明器具が人を検知すると、全ての他の照明器具で人を検知した状態となり、例えば、各照明器具を点滅させて、不審者を威嚇するとともに、住人に人が検知されたことを知らせるので、防犯効果が一層増す。また、検知部を有する高価な一の照明器具を１台だけ設け、他は安価な照明器具を用いることができるので、防犯照明システムのコストダウンを図ることができる。
【０００８】
また、本発明の防犯照明システムは、前記複数個の照明器具は、規則的に点滅動作を開始する構成を有している。
【０００９】
この構成により、複数個の照明器具において、規則的に点滅動作を開始するので、例えば、各照明装置を同時に点滅動作を開始させたり、各照明器具が次々に連続して点滅動作を開始させることにより、一層、防犯効果を増すことができる。
【００１０】
また、本発明の防犯照明システムは、前記複数個の照明器具は、不規則的に点滅動作を開始する構成を有している。
【００１１】
この構成により、複数個の照明器具において、不規則的（ランダム）に点滅動作を開始するので、どの照明器具が点滅動作を開始するのか不明であり、一層、防犯効果を増すことができる。
【００１２】
また、本発明の防犯照明システムは、前記各照明器具における前記点滅動作が、点滅間隔を規則的に変化させる構成を有している。
【００１３】
この構成により、照明器具を点滅させる際に、点滅間隔を規則的に変化させることにより、一層、防犯効果を増すことができる。
【００１４】
また、本発明の防犯照明システムは、前記各照明器具における前記点滅動作が、点滅間隔を不規則的に変化させる構成を有している。
【００１５】
この構成により、照明器具を点滅させる際に、点滅間隔を不規則的に変化させることにより、一層、防犯効果を増すことができる。
【００１６】
また、本発明の防犯照明システムは、前記点滅動作が、人検知後所定時間経過後に停止する構成を有している。
【００１７】
この構成により、人検知後、所定時間経過したら点滅動作を停止するので、省エネを図ることができる。
【００１８】
さらに、本発明の防犯照明システムは、前記検知部が人を検知したときに音を発する音出力部を有する構成を有している。
【００１９】
この構成により、光の点滅動作に加えて、音を発するので、一層、防犯効果を増すことができる。
【発明の効果】
【００２０】
本発明は、複数個の照明器具のうちの一の照明器具は、光源と、検知部と、信号を送信可能な送信部と、一の照明器具を制御する主制御部と、を有しており、この一の照明器具の検知部が人を検知すると、その照明器具においては、主制御部が自身の点滅動作を指令して、人を検知したことを知らせる。同時に、送信部が全ての他の照明器具に人検知信号を発信するので、全ての他の照明器具は、その受信部が人検知信号を受信し、副制御部が自身の点滅動作を指令する。このため、所望の位置に配置された一の照明器具が人を検知すると、全ての他の照明器具で人を検知した状態となり、例えば、各照明器具を点滅させて、不審者を威嚇するとともに、住人に人が検知されたことを知らせるので、防犯効果が一層増す。また、検知部を有する高価な一の照明器具を１台だけ設け、他は安価な照明器具を用いることができるので、防犯照明システムのコストダウンを図ることができるという効果を有する防犯照明システムを提供することができるものである。
【発明を実施するための最良の形態】
【００２１】
以下、本発明の実施形態に係る防犯照明システムについて、図面を用いて説明する。
図１は本発明の実施形態に係る防犯照明システムの全体を示す斜視図、図２は照明器具の斜視図、図３（Ａ）および（Ｂ）は防犯照明システムの構成図である。
【００２２】
図１に示すように、本発明に係る防犯照明システム１０では、複数個の照明器具２０Ａ〜２０Ｄ（なお、照明器具を総称する場合には「照明器具２０」で示す。）を有しており、例えば、玄関１１の軒下には、一の照明器具（以後、「親器」という。）である１台のダウンライト２０Ａを有し、玄関１１前のアプローチ１２には、他の照明器具（以後、「子器」という。）である３台のフットライト２０Ｂ〜２０Ｄを設けている。
【００２３】
図２および図３（Ａ）に示すように、親器であるダウンライト２０Ａは、少なくとも、光源であるランプ２１と、人を検知する検知部２２を構成する人感センサ２２ａと、子器である他の照明器具２０に人検知信号を送るとともに他の照明器具２０からの人検知信号を受ける送信部２３と、このダウンライト２０Ａを制御する主制御部２４と、を有している。なお、ダウンライト２０Ａには、人感センサ２２ａとともに検知部２２を構成する明るさセンサ２２ｂが設けられている。
【００２４】
また、子器であるフットライト２０Ｂ〜２０Ｄは、図３（Ｂ）に示すように、光源であるランプ２７、親器であるダウンライト２０Ａからの信号を受ける受信部２５、フットライト２０Ｂ〜２０Ｄを制御する副制御部２６を有している。なお、各照明器具２０の送信部２３、２５は、有線の信号線により全て接続することができるが、無線等により接続することも可能である。
【００２５】
従って、親器であるダウンライト２０Ａの人感センサ２２ａが人を検知すると、人を検知したダウンライト２０Ａにおいては、主制御部２４の制御により、自身のランプ２１を制御して点滅動作を指令する。同時に、ダウンライト２０Ａの送信部２３が、他の全てのフットライト２０Ｂ〜２０Ｄに人検知信号を発信し、全てのフットライト２０Ｂ〜２０Ｄでは、各受信部２５が人検知信号を受信して、副制御部２６が自身のランプ２７に点滅動作を指令する。
【００２６】
以上、説明した本発明に係る防犯照明システム１０によれば、親器であるダウンライト２０Ａの人感センサ２２ａが人を検知すると、主制御部２４が自身のランプ２１に点滅動作を指令して、人を検知したことを知らせると同時に、送信部２３が子器である他の全てのフットライト２０Ｂ〜２０Ｄに人検知信号を発信するので、全てのフットライト２０Ｂ〜２０Ｄでは、各受信部２５が人検知信号を受信して、副制御部２６がランプ２７に自身の点滅動作を指令する。このため、高価な親器であるダウンライト２０Ａを、人の検知に適した一箇所に配置し、他は安価な子器を配置することができるので、防犯照明システム１０のコストダウンを図ることができる。また、親器が人を検知したら全ての子器も点滅等するので、不審者を威嚇するとともに、住人に人が検知されたことを知らせるので、防犯効果が一層増す。
【００２７】
なお、人検知後、所定時間（例えば１０秒）経過後に、点滅動作が停止するようにするのが望ましい。これにより、省エネを図ることができる。
また、検知部２２の明るさセンサ２２ｂが、周囲が所定の明るさよりも暗くなったと検知したときには、人の検知とは無関係にランプ２１を点灯させるようにすることもできる。
さらに、図２および図３（Ｂ）に示すように、前述の構成要素に加えて、音を発するブザー等の音出力部２８を設けるのが望ましい。このように、光の点滅に加えて警報等の音を発することにより、一層、防犯効果を増すことができる。なお、音出力部２８としては、ブザーやベル等種々のものが適用可能であり、発する音は、ランプ２１の点滅と同調することができるが、単に音を発するだけでも良い。
【００２８】
次に、具体的な実施例を、図に基づいて説明する。
（実施例−１）
本実施例においては、親器であるダウンライト２０Ａおよび子器である複数個のフットライト２０Ｂ〜２０Ｄは、規則的に点滅動作を開始する。すなわち、図４に示すように、ダウンライト２０Ａの人感センサ２２ａが人を検知したら、その送信部２３が他の全てのフットライト２０Ｂ〜２０Ｄの受信部２５に検知信号を発し、受信したフットライト２０Ｂ〜２０Ｄの副制御部２６が制御して、全ての照明器具２０が同時（規則的）に点滅を開始する。そして、人検知後、所定時間（ここでは、例えば１０秒）経過したら、点滅動作を終了する。なお、点滅動作に伴って、音出力部２８から警報等の音を発するようにするのが望ましい。
【００２９】
（実施例−２）
本実施例においては、親器であるダウンライト２０Ａおよび子器である複数個のフットライト２０Ｂ〜２０Ｄは、規則的に点滅動作を開始する。すなわち、図５に示すように、ダウンライト２０Ａの人感センサ２２ａが人を検知したら、その送信部２３が他の全てのフットライト２０Ｂ〜２０Ｄの受信部２５に検知信号を発し、受信したフットライト２０Ｂ〜２０Ｄの副制御部２８が制御して、フットライト２０Ｂからフットライト２０Ｄまで、次々に時間をずらして連続して（規則的に）点滅動作を開始する。そして、ダウンライト２０Ａによる人検知後、所定時間（ここでは、例えば１０秒）経過したら、点滅動作を終了する。なお、点滅動作に伴って、音出力部２８から警報等の音を発するようにするのが望ましい。
【００３０】
（実施例−３）
本実施例においては、親器であるダウンライト２０Ａおよび子器である複数個のフットライト２０Ｂ〜２０Ｄは、不規則的に点滅動作を開始する。すなわち、図６に示すように、ダウンライト２０Ａの人感センサ２２ａが人を検知したら、その送信部２３が他の全てのフットライト２０Ｂ〜２０Ｄの受信部２５に検知信号を発し、受信したフットライト２０Ｂ〜２０Ｄの副制御部２６により、不規則な順序でランダムに点滅動作を開始する。このため、どのフットライト２０Ｂ〜２０Ｄが点滅動作を開始するのか不明であり、一層、防犯効果を増すことができる。そして、ダウンライト２０Ａによる人検知後、所定時間（ここでは、例えば１０秒）経過したら、点滅動作を終了する。なお、点滅動作に伴って、音出力部２８から警報等の音を発するようにするのが望ましい。
【００３１】
（実施例−４）
本実施例においては、親器であるダウンライト２０Ａおよび子器である複数個のフットライト２０Ｂ〜２０Ｄにおける点滅動作の、点滅間隔を規則的に変化させる。すなわち、図７に示すように、ダウンライト２０Ａの人感センサ２２ａが人を検知したら、その送信部２３が他の全てのフットライト２０Ｂ〜２０Ｄの受信部２５に検知信号を発し、受信したフットライト２０Ｂ〜２０Ｄの副制御部２６が制御して、フットライト２０Ｂからフットライト２０Ｄまで、順次、時間をずらして（規則的に）、点滅動作を開始する。このときの点滅間隔は、例えば、短い間隔Ｔ１と長い間隔Ｔ２があり、Ｔ１およびＴ２を規則的に繰り返す。そして、ダウンライト２０Ａによる人検知後、所定時間（ここでは、例えば１０秒）経過したら、点滅動作を終了する。なお、点滅動作に伴って、音出力部２８から警報等の音を発するようにするのが望ましい。
【００３２】
（実施例−５）
本実施例においては、親器であるダウンライト２０Ａおよび子器である複数個のフットライト２０Ｂ〜２０Ｄにおける点滅動作の、点滅間隔を不規則的に変化させる。すなわち、図８に示すように、ダウンライト２０Ａの人感センサ２２ａが人を検知したら、その送信部２３が他の全てのフットライト２０Ｂ〜２０Ｄの受信部２５に検知信号を発し、受信したフットライト２０Ｂ〜２０Ｄの副制御部２６が制御して、フットライト２０Ｂからフットライト２０Ｄまで、順次、時間をずらして点滅動作を開始する。このときの点滅間隔は、例えば、各照明器具２０において任意であり、規則性はない。そして、ダウンライト２０Ａによる人検知後、所定時間（ここでは、例えば１０秒）経過したら、点滅動作を終了する。なお、点滅動作に伴って、音出力部２８から警報等の音を発するようにするのが望ましい。
【００３３】
なお、本発明の防犯照明システム１０は、前述した実施形態に限定されるものでなく、適宜な変形，改良等が可能である。
【図面の簡単な説明】
【００３４】
【図１】本発明の実施形態に係る防犯照明システムの全体を示す斜視図
【図２】照明器具の斜視図
【図３】（Ａ）および（Ｂ）は防犯照明システムの例を示す構成図
【図４】実施例−１における各照明器具の点滅動作を示すタイムチャート
【図５】実施例−２における各照明器具の点滅動作を示すタイムチャート
【図６】実施例−３における各照明器具の点滅動作を示すタイムチャート
【図７】実施例−４における各照明器具の点滅動作を示すタイムチャート
【図８】実施例−５における各照明器具の点滅動作を示すタイムチャート
【図９】従来の複数の照明器具を有する照明システムの構成図
【符号の説明】
【００３５】
１０  防犯照明システム
２０（２０Ａ〜２０Ｄ）  照明器具
２１  ランプ（光源）
２２  検知部
２２ａ  人感センサ（検知部）
２２ｂ  明るさセンサ（検知部）
２３  送信部
２４  主制御部
【図１】
2010033812.tif 000003
【図２】
2010033812.tif 000004
【図３】
2010033812.tif 000005
【図４】
2010033812.tif 000006
【図５】
2010033812.tif 000007
【図６】
2010033812.tif 000008
【図７】
2010033812.tif 000009
【図８】
2010033812.tif 000010
【図９】
2010033812.tif 000011